(57)【特許請求の範囲】
【請求項１】
上枠、下枠及び左右の縦枠からなる枠と、該枠内の両側部に嵌め殺しまたはスライド開閉自在に設けられた外障子と、枠内の中央部にスライド開閉自在に設けられた左右一対の内障子とを備え、上記内障子の突合せ部である合掌框は対向面に上下方向に連続する溝部を有する左右対称の断面形状とされ、その一方の合掌框の溝部に障子閉鎖時に他方の合掌框の溝部に進入する突条部材を取付け、該突状部材は平行な一対の側片部を有する断面略Ｕ字状に形成され、左右の合掌框の溝部の先端側内面に上記突条部材の一対の側片部の外面に摺接して突条部材との間を封止する気密材を上下方向に沿って取付けたことを特徴とする開口部装置。
【発明の詳細な説明】
【技術分野】
【０００１】
本発明は、例えば障子４枚建サッシ等の開口部装置に係り、特に中央で突き合わされる左右の内障子の合掌框の構造を改良した開口部装置に関する。
【背景技術】
【０００２】
従来のこの種の開口部装置としては、特許文献１や特許文献２に記載されているような４枚建サッシが知られている。このサッシは、上枠、下枠及び左右の縦枠からなる枠と、該枠内の両側部に嵌め殺しまたはスライド開閉自在に設けられた外障子と、枠内の中央部にスライド開閉自在に設けられた左右一対の内障子とを備えて構成されている。
【０００３】
このようなサッシにおいては、障子閉鎖時の気密性を確保するために、合掌框の対向部に障子閉鎖時に互いに突合されて合掌框間を封止する気密材を設けている。また、その左右の気密材を突合せた合掌框間の封止部を室外側から覆い隠すように一方の合掌框には覆い部が形成されている。
【０００４】
【特許文献１】特開平６−１４６７４０号公報
【特許文献２】特開平７−１４５６９２号公報
【発明の開示】
【発明が解決しようとする課題】
【０００５】
しかしながら、上述したサッシにおいては、障子閉鎖時に気密材を押しつぶして気密性を確保する必要があるため、障子の閉鎖間際に力を増大する必要があり、また、クレセント錠の施錠時に操作が硬くなることがあった。また、左右の合掌框に太鼓状や鼓状等の反り変形を生じた場合、気密材間のつぶしが甘くなる箇所が発生し、気密性が悪くなることがあった。更に、上記サッシにおいては、一方の合掌框に覆い部が形成されているなど、左右の合掌框が左右対称の断面形状ではなく、このため、左右２種類の合掌框を製造する必要があり、製造コストの増大を余儀なくされていた。
【０００６】
本発明は、上記事情を考慮してなされたものであり、操作性及び気密性の向上が図れると共に製造コストの低減が図れる開口部装置を提供することを目的とする。
【課題を解決するための手段】
【０００７】
上記目的を達成するために、本発明は、上枠、下枠及び左右の縦枠からなる枠と、該枠内の両側部に嵌め殺しまたはスライド開閉自在に設けられた外障子と、枠内の中央部にスライド開閉自在に設けられた左右一対の内障子とを備え、上記内障子の突合せ部である合掌框は対向面に上下方向に連続する溝部を有する左右対称の断面形状とされ、その一方の合掌框の溝部に障子閉鎖時に他方の合掌框の溝部に進入する突条部材を取付け、該突状部材は平行な一対の側片部を有する断面略Ｕ字状に形成され、左右の合掌框の溝部の先端側内面に上記突条部材の一対の側片部の外面に摺接して突条部材との間を封止する気密材を上下方向に沿って取付けたことを特徴とする。
【発明の効果】
【０００８】
本発明によれば、上枠、下枠及び左右の縦枠からなる枠と、該枠内の両側部に嵌め殺しまたはスライド開閉自在に設けられた外障子と、枠内の中央部にスライド開閉自在に設けられた左右一対の内障子とを備え、上記内障子の突合せ部である合掌框は対向面に上下方向に連続する溝部を有する左右対称の断面形状とされ、その一方の合掌框の溝部に障子閉鎖時に他方の合掌框の溝部に進入する突条部材を取付け、該突状部材は平行な一対の側片部を有する断面略Ｕ字状に形成され、左右の合掌框の溝部の先端側内面に上記突条部材の一対の側片部の外面に摺接して突条部材との間を封止する気密材を上下方向に沿って取付ているため、障子閉鎖間際に力を増大したり、クレセント錠の施錠操作が硬くなることがなく、操作性の向上が図れ、合掌框に反り変形が生じても気密性を確保することができ、合掌框が左右共通の断面形状で製造コストの低減が図れる。
【発明を実施するための最良の形態】
【０００９】
以下に、本発明を実施するための最良の形態を添付図面に基いて詳述する。図１は本発明の実施の形態であるサッシを概略的に示す室内側正面図、図２の（ａ）は障子閉鎖直前の合掌部の断面図、（ｂ）は障子閉鎖後の合掌部の断面図、図３は図１のサッシの縦断面図、図４は図１のＡ−Ａ線拡大断面図である。
【００１０】
これらの図において、１は開口部装置として例示した障子４枚建タイプのサッシで、このサッシ１は、建築物の屋外開口部に取付けられる上枠２a、下枠２ｂ及び左右の縦枠２ｃ，２ｄからなる枠２と、該枠２内の室外側の両側部（両袖部）に嵌め殺し（フィックス）またはスライド開閉自在に設けられた左右一対の外障子４と、枠２内の室内側の中央部に突合わせられてスライド開閉自在に設けられた左右一対の内障子３とを備えている。上枠２ａ、下枠２ｂ及び左右の縦枠２ｃ，２ｄは、例えばアルミ押出形材からなっている。
【００１１】
上記内障子３は、例えばアルミ押出形材からなる上框５ａ、下框５ｂ及び左右の縦框（内召し合せ框と合掌框）５ｃ，５ｄからなる框５内にガラスパネル６を装着してなる。上記外障子４は、例えばアルミ押出形材からなる上框７ａ、下框７ｂ及び左右の縦框（内召し合せ框と合掌框）７ｃ，７ｄからなる框７内にガラスパネル６を装着してなる。図示例の障子３，４は中間横桟を５ｅ，７ｅを有しているが、中間横桟を有していなくても良い。
【００１２】
上枠２ａの下面と下枠２ｂの上面とには内障子３，外障子４をそれぞれ開閉自在に支持するための上部レール８ａ，８ｂと下部レール９ａ，９ｂとが設けられている。なお、図示例（特に図３）では、上記内障子３の下框５ｂには室内側の下部レール９ａ上を走行する戸車１０が取付けられているが、外障子４の下框７ｂには室外側の下部レール９ｂ上を走行する戸車が取付けられておらず、外障子４が嵌め殺しタイプとされている。
【００１３】
外召合せ框７ｃには図示しないクレセント受けが設けられ、内召合せ框５ｃには障子閉鎖時に上記クレセント受けに係合させて施錠するためのクレセント錠１１が設けられている。内召合せ框５ｃと外召合せ框７ｃとの間には閉鎖時に互いに係合する煙返し部２９ａ，２９ｂが設けられていると共に、内召合せ框５ｃの室外面には外召合せ框７ｃの室内面に接してこれらの間を封止（シール）する例えば軟質樹脂製の縦気密材（召合せ縦気密材ともいう）１２が上下方向に設けられている。
【００１４】
上記内障子３の突合せ部である合掌框５ｄ、５ｄは、対向面（対向部）に上下方向に連続する溝部１３、１３を有する左右対称の断面形状とされている。合掌框５ｄ、５ｄの対向面における室内外方向略中間部から室外側の部分には、溝部５ｄの両側壁を形成する一対の側片部１４ａ，１４ｂが突出形成されている。一対の側片部１４ａ，１４ｂの先端側内側面には気密材１５ａ，１５ｂを取付けるためのポケット（取付溝）１６ａ，１６ｂがそれぞれ長手方向（図２ないし図４の紙面垂直方向）に沿って形成されている。一対の側片部１４ａ，１４ｂの先端側は互いに漸次接近するようにテーパー状に形成されていることがデザイン的に好ましいが、単に平行に形成されていても良い。また、一対の側片部１４ａ，１４ｂの基部間には、側片部１４ａ，１４ｂの先端部間の幅よりも幅の広い基部空間部１７が形成されている。
【００１５】
そして、一方（図示例では右側）の合掌框５ｄの溝部１３には障子閉鎖時に他方（同左側）の合掌框５ｄの溝部１３に進入する突条部材１８が取付けられ、左右の合掌框５ｄ，５ｄの溝部１３，１３には突条部材１８との間を封止する気密材１５ａ，１５ｂが取付けられている。気密材１５ａ，１５ｂは、ゴム、軟質樹脂等により形成されており、上記各ポケット１６ａ，１６ｂに嵌合させることにより長手方向（上下方向、図２ないし図４の紙面垂直方向）に沿って取付けられている。
【００１６】
上記突条部材１８は、一対の側片部１４ａ，１４ｂ間に配置される一対の側片部１８ａ，１８ｂを有する断面略Ｕ字状に形成されており、その基部側には上記基部空間１７にその長手方向（上下方向）に摺動可能に係合する鍔状の基部１８ｃが形成されている。突条部材１８の一対の側片部１８ａ、１８ｂの先端部は、他方の合掌框５ｄの溝部１３に進入し易いように互いに漸次接近するようにテーパー状に形成されていることが好ましいが、単に平行に形成されていても良い。
【００１７】
突条部材１８の一対の側片部は、一方の合掌框５ｄの溝部１３から突出しており、内障子３の障子閉鎖時に他方の合掌框５ｄの溝部１３に進入する。その際に、他方の合掌框５ｄの溝部１３の先端側内面に取付けられている気密材１５ａ，１５ｂが突条部材１８の一対の側片部１８ａ，１８ｂの外面に接（摺接）し、突条部材１８との間を封止するようになっている。一方の合掌框５ｄの溝部１３の先端側内面に取付けられている気密材１５ａ，１５ｂが突条部材１８の一対の側片部１８ａ，１８ｂの基部側外面に常時接しており、突条部材１８との間を封止している。これにより、気密材を押しつぶすことなく合掌框間を確実に封止できるようになっている。
【００１８】
障子閉鎖時において、左右の内障子３，３の合掌框５ｄ，５ｄ間の室内側には、手を挿入して内障子３を開操作（引き分け操作）し得る空間（凹溝）１９が設けられている。左右の内障子３，３の合掌框５ｄ，５ｄの室外面には凹状の引き手部２０が設けられている。
【００１９】
一方、上記下框２ｄには、内障子３の室内面下縁部との間を封止するための下枠気密材２１と、外障子４の室内面下縁部との間を封止するための下枠気密材２２とが長手方向（横方向、左右方向）に沿って設けられている（図３、図７参照）。内障子側の下枠気密材２１による気密構造と合掌框５ｄ、５ｄ間の気密構造とをつなげて気密性を向上させるために、次のような合掌框下部気密構造が採用されている。
【００２０】
図５ないし図６に示すように、合掌框５ｄ、５ｄにはその室内側側片部１４ａの下端部を切り欠いた切欠部２３ａ，２３ｂがそれぞれ設けられ、各切欠部２３ａ，２３ｂには表面が軟質樹脂製の気密ブロック２４ａ，２４ｂが取付けられ、図７に示すように左右の気密ブロック２４ａ，２４ｂが障子閉鎖時に互いに当接すると共に下枠気密材２１とも接触していて気密を確保するように構成されている。
【００２１】
各気密ブロック２４ａ，２４ｂには、下部レール９ａに対して内障子３の振れを規制する逆Ｕ字状の振れ止め部２５ａ，２５ｂ（図７参照）が設けられている。また、この振れ止め部２５ａ，２５ｂには、室外側側片部１４ｂ，１４ｂに形成されたポケット１６ｂ，１６ｂの下端部に嵌挿される下部気密材２６ａ，２６ｂが設けられている。一方の合掌框５ｄに取付けられる突条部材１８には気密ブロック２４ａと干渉しないように基部１８ｃの一部を切り欠いた切欠部２７が設けられ、その切欠部２７における突条部材１８の室内側側面部には気密ブロック２４ａの室外面が当接されている。
【００２２】
なお、室内側のポケット１６ａに嵌合された気密材１５ａの下端は気密ブロック２４ａ，２４ｂの上面に当接しており、室外側のポケット１６ｂに嵌合された気密材１５ｂの下端は下部気密材２６ａ，２６ｂの上端に当接している。一方の合掌框５ｄには気密ブロック２４ａを有する振れ止め部２５ａが突条部材１８と共にネジ２８ａで固定され、他方の合掌框５ｄには気密ブロック２４ｂを有する振れ止め部２５ｂがネジ２８ｂで固定されている。
【００２３】
このように構成されたサッシ１によれば、上枠２ａ、下枠２ｂ及び左右の縦枠２ｃ，２ｄからなる枠２と、該枠２内の両側部に嵌め殺しまたはスライド開閉自在に設けられた外障子４と、枠２内の中央部にスライド開閉自在に設けられた左右一対の内障子３とを備え、上記内障子３の突合せ部である合掌框５ｄは対向面に上下方向に連続する溝部１３を有する左右対称の断面形状とされ、その一方の合掌框５ｄの溝部１３に障子閉鎖時に他方の合掌框５ｄの溝部１３に進入する突条部材１８を取付け、左右の合掌框５ｄの溝部１３に突条部材１８との間を封止する気密材１５ａ，１５ｂを取付けているため、障子閉鎖間際に力を増大したり、クレセント錠１１の施錠操作が硬くなることがなく、操作性の向上が図れ、合掌框５ｄに反り変形が生じても気密性を確保することができ、合掌框５ｄが左右共通の断面形状で製造コストの低減が図れる。
【００２４】
すなわち、左右の合掌框５ｄは対向面に上下方向に連続する溝部１３を有する左右対称の断面形状とされているため、左右の合掌框５ｄとして１種類の断面形状の形材（合掌框）を製造すれば良く、一方の合掌框と同じ形材を上下逆にするだけで他方の合掌框として使用することができ、部材（形材）の共通化により製造コストの低減が図れる。
【００２５】
一方の合掌框５ｄの溝部１３に突条部材１８を取付けておき、左右の合掌框５ｄの溝部１３に突条部材１８の側面部（側片部）との間を封止する気密材１５ａ，１５ｂをそれぞれ取付けているため、内障子３同士を突合せて閉鎖する場合に、一方の合掌框５ｄの突条部材１８が他方の合掌框５ｄの溝部１３に進入し、該溝部１３の気密材１５ａ，１５ｂが突条部材１８の側面部に摺接して封止するようになり、気密材同士を突合せて押しつぶして封止する従来の気密構造と異なり、内障子３を軽い力で容易に閉鎖することができ、また、クレセント錠１１を軽い力で容易に施錠することができ、操作性の向上が図れる。
【００２６】
また、一方の合掌框５ｄの溝部１３に取付けた突条部材１８が他方の合掌框５ｄの溝部１３に入り込んでその突条部材１８の側面に気密材１５ａ，１５ｂが接しているため、左右の合掌框５ｄに太鼓状や鼓状等の反り変形を生じたとしても、気密性を確保することができる。
【００２７】
また、前記溝部１３を形成する室内側側片部１４ａの下端部を切り欠き、その切欠部２３ａ，２３ｂに気密ブロック２４ａ，２４ｂを設け、障子閉鎖時に気密ブロック２４ａ，２４ｂ同士を当接させると共に下枠気密材２１を気密ブロック２４ａ，２４ｂに摺接させるようにしたので、気密性の向上が図れる。この場合、気密ブロック２４ａ，２４ｂ同士を当接させて押しつぶして気密性を確保する構造を採用しているが、気密ブロック２４ａ，２４ｂは合掌框５ｄの下端部に部分的に設けられているだけであるため、障子閉鎖時の力を増大する必要はない。
【００２８】
以上、本発明の実施の形態ないし実施例を図面により詳述してきたが、本発明は上記実施の形態ないし実施例に限定されるものではなく、本発明の要旨を逸脱しない範囲での種々の設計変更等が可能である。例えば、開口部装置としては、下枠フラットタイプのサッシ（ノンレールサッシともいう）であっても良い。
【図面の簡単な説明】
【００２９】
【図１】本発明の実施の形態であるサッシを概略的に示す室内側正面図である。
【図２】（ａ）は障子閉鎖直前の合掌部の断面図、（ｂ）は障子閉鎖後の合掌部の断面図である。
【図３】図１のサッシの縦断面図である。
【図４】図１のＡ−Ａ線拡大断面図である。
【図５】一方の障子の戸先側構造を部分的に示す図で、（ａ）は分解斜視図、（ｂ）は組立斜視図である。
【図６】他方の障子の戸先側構造を部分的に示す図で、（ａ）は分解斜視図、（ｂ）は組立斜視図である。
【図７】障子閉鎖時の合掌部を部分的に示す斜視図である。
【符号の説明】
【００３０】
１  サッシ（開口部装置）
２  枠
２ａ  上枠
２ｂ  下枠
２ｃ，２ｄ  縦枠
３  内障子
４  外障子
５ｄ  合掌框
１３  溝部
１５ａ，１５ｂ  気密材
１８  突条部材
【図１】
0004660369.tif 000002
【図２】
0004660369.tif 000003
【図３】
0004660369.tif 000004
【図４】
0004660369.tif 000005
【図５】
0004660369.tif 000006
【図６】
0004660369.tif 000007
【図７】
0004660369.tif 000008